(57)【要約】【課題】シートをロール状にその幅を揃えて巻き取ることができる、シートの巻き取り器を提供する。【解決手段】このシートの巻き取り器３００は、シート２００をロール状に外周に巻き重ねるための回転棒３０２と、シート２００をロール状に巻いたときのシートロール２００Ａの幅を調整する一対の幅調整体３０４，３０６と、ハンドル３０８と、前記回転棒３０２を支持する基台３１２とを備え、回転棒３０２は、シート２００の端部を保持する保持手段３２０が設けられ、少なくとも１つの幅調整体３０６は、着脱自在に回転棒３０２に固定され、着脱自在の幅調整体３０６が回転棒３０２より外され、ロール状に巻かれたシート２００が保持手段３２０より外されて、回転棒３０２よりロール状シート２００Ａが取り外されように構成されている。【選択図】図１
2006096524.tif 000002
【特許請求の範囲】
【請求項１】
シートをロール状に外周に巻き重ねるための回転棒と、
回転棒の両端近傍に設けられ、シートをロール状に巻いたときのシートロールの幅を調整する一対の幅調整体と、
回転棒の一端に延設された回転棒を回転させるためのハンドルと、
その上部に設けられた回転軸受けにて前記回転棒を支持する基台とを備え、
回転棒は、シートの端部を保持する保持手段が設けられ、
一対の幅調整体は、それぞれシートの幅以上の間隔をおいて回転棒の両端近傍に固定され、少なくとも１つの幅調整体は、着脱自在に回転棒に固定され、
着脱自在の幅調整体が回転棒より外され、ロール状に巻かれたシートが保持手段より外されて、回転棒よりロール状シートが取り外されように構成されている、シートの巻き取り器。
【請求項２】
回転棒の保持手段は、長手方向に連続してシートの端部を挟み込むための幅狭の狭持穴が、着脱自在の幅調整体を固定する側の端部に至るまで形成され、
ロール状のシートの端部が、狭持穴より回転棒の端部に向けて滑らせて抜くことができるように構成されている、請求項１に記載のシートの巻き取り器。
【請求項３】
幅調整体は、回転棒の端部に形成された嵌挿溝に嵌挿されるための嵌挿体が輪の中心に形成され、
回転棒の端部の嵌挿溝に着脱自在に固定されている、請求項１または２に記載のシートの巻き取り器。
【請求項４】
幅調整体は、その回転軸の軸心の外側に、基台の回転軸受けにおいて回転自在に軸支されるための滑り軸が形成されている、請求項１ないし３のいずれかに記載のシートの巻き取り器。
【請求項５】
基台は、回転棒の両端を支持する一対の脚部の間に方向付け体が、回転棒と平行に設けられ、
方向付け体を経て、シートの両端が揃った状態で回転棒の周囲にロール状に巻き付けられるように構成されている、請求項１ないし４のいずれかに記載のシートの巻き取り器。
【請求項６】
方向付け体は、直線状部と、該直線状部の両端に設けられた一対の幅調整固定部とを備え、
直線状部は、基体の保持棒及び回転棒と平行に設けられ、
シートが、直線状部と保持棒との間であって、一対の幅調整固定部との間において、回転棒に向けて送られるように構成されている、請求項５に記載のシートの巻き取り器。
【発明の詳細な説明】
【技術分野】
【０００１】
この発明は、シートの巻き取り器に関し、特に例えば畦の側面に敷設される防水用シートをロール状に巻く為のシートの巻き取り器に関する。
【背景技術】
【０００２】
従来農作業に用いられるシートを巻き取る巻き取り器として、保温用シートの巻き取り装置が提案されている。
【０００３】
【特許文献１】特開平７−３２２７７５号公報
【発明の開示】
【発明が解決しようとする課題】
【０００４】
この保温用シートの巻き取り装置は、基台１０と、該基台１０に回転可能に支持させた回転体２０と、該回転体２０の周縁に、自由端を上記回転体の中心方向へ回転可能に保持させた複数本の爪３０と、それらの爪３０を互いに平行状態に保持させる係止手段４０とを備え、回転体２０を回転させることによって、爪３０で保温シートAを巻き取り、係止手段４０を操作して、爪３０を回転させ、それらの先端を窄めて、爪３０に巻き取った保温用シートAを爪３０から取り外せるようにしている。
しかしながら、圃場の畦にはめ込まれる薄板状の防水シートは、畦に埋めて使用した後取り出し再び使用すると言ったように繰り返し畦に埋めて使用することができるが、畦の側面に防水用のシートを敷設する畦シートの敷設装置に用いて利用するためにロール状に巻いたとき、薄板状の防水シートの端部が揃った状態で巻き取られる必要性があるが、この保温用シートの巻き取り装置は、構造が複雑であるにもかかわらず、シートの端部を揃えてロール状に巻き取るには適さないものである。
【０００５】
それゆえに、この発明の主たる目的は、シートをロール状にその幅を揃えて巻き取ることができる、シートの巻き取り器を提供することである。
【課題を解決するための手段】
【０００６】
この発明の請求項１にかかるシートの巻き取り器は、シートをロール状に外周に巻き重ねるための回転棒と、回転棒の両端近傍に設けられ、シートをロール状に巻いたときのシートロールの幅を調整する一対の幅調整体と、回転棒の一端に延設された回転棒を回転させるためのハンドルと、その上部に設けられた回転軸受けにて前記回転棒を支持する基台とを備え、回転棒は、シートの端部を保持する保持手段が設けられ、一対の幅調整体は、それぞれシートの幅以上の間隔をおいて回転棒の両端近傍に固定され、少なくとも１つの幅調整体は、着脱自在に回転棒に固定され、着脱自在の幅調整体が回転棒より外され、ロール状に巻かれたシートが保持手段より外されて、回転棒よりロール状シートが取り外されように構成されている、シートの巻き取り器である。
この発明の請求項２にかかるシートの巻き取り器は、回転棒の保持手段は、長手方向に連続してシートの端部を挟み込むための幅狭の狭持穴が、着脱自在の幅調整体を固定する側の端部に至るまで形成され、ロール状のシートの端部が、狭持穴より回転棒の端部に向けて滑らせて抜くことができるように構成されている、請求項１に記載のシートの巻き取り器である。
この発明の請求項３にかかるシートの巻き取り器は、幅調整体は、回転棒の端部に形成された嵌挿溝に嵌挿されるための嵌挿体が輪の中心に形成され、回転棒の端部の嵌挿溝に着脱自在に固定されている、請求項１または２に記載のシートの巻き取り器である。
この発明の請求項４にかかるシートの巻き取り器は、幅調整体は、その回転軸の軸心の外側に、基台の回転軸受けにおいて回転自在に軸支されるための滑り軸が形成されている、請求項１ないし３のいずれかに記載のシートの巻き取り器である。
この発明の請求項５にかかるシートの巻き取り器は、基台は、回転棒の両端を支持する一対の脚部の間に方向付け体が、回転棒と平行に設けられ、方向付け体を経て、シートの両端が揃った状態で回転棒の周囲にロール状に巻き付けられるように構成されている、請求項１ないし４のいずれかに記載のシートの巻き取り器である。
この発明の請求項６にかかるシートの巻き取り器は、方向付け体は、直線状部と、該直線状部の両端に設けられた一対の幅調整固定部とを備え、直線状部は、基体の保持棒及び回転棒と平行に設けられ、シートが、直線状部と保持棒との間であって、一対の幅調整固定部との間において、回転棒に向けて送られるように構成されている、請求項５に記載のシートの巻き取り器である。
【発明の効果】
【０００７】
この発明によれば、溝形成器および／または溝形成器の支持部材に、着脱自在に固定される、固定部材と、固定部材に設けられた畦シートロール装填部材と、固定部材に固定され、畦シートロールから引き出された畦シートロール案内部材と、畦シートロール案内部材により案内された畦シートを畦溝の側面に添設させる畦シート押圧部材とを有し、畦シートロール装填部材と、畦シートロール案内部材と、畦シート押圧部材とが、耕耘機の進行方向に向かって、溝形成器の先端より後方であって覆土器より前方において、固定部材により耕耘機に着脱自在に取り付けられるように構成されているので、畦シート敷設装置として、単独で用いることができ、且つ、固定部材により耕耘機に着脱自在に取り付けられるため、他種の耕耘機に取り付けることができるので、一対の幅調整体でロール状に巻く時に、シートロールの幅を調整しながら回転棒の外周にシートをロール状に巻き重ねることができ、かつ、幅調整体を回転棒より外し、ロール状に巻かれたシートを回転棒より容易に取り外すことができる。
請求項２の発明によれば、固定部材は、長さ方向を有する固定本体と、該固定本体の前部に形成された固定部が、溝形成器を支持する支持部材に嵌合されることによって固定されるので、耕耘機の支持部材に嵌合させるだけで、畦シート敷設装置を着脱自在に取り付けることができ、他種の耕耘機にも取り付けが可能であるので、ロール状に巻かれたシートを回転棒より容易に抜くことができ、ロール状に巻かれたシートをその形を崩すことなく次工程にて用いることができる。
請求項３の発明によれば、畦シートロール装填部材は、畦シートロールの中心孔に挿入される太さと、畦シートロールの幅に対応する長さを有する棒状体によって形成され、固定部材の後方位置において、畦シートロールの上端側が前方に傾斜するように、上端が斜めに前方に位置して突き出し設けられているので、畦シートロールから畦シートを巻戻しながら、前方から畦に向けて送り出すことができるので、幅調体を回転棒に着脱自在に固定でき、ロール状に巻かれたシートを回転棒より容易に取り外すことができる。
請求項４の発明によれば、畦シートロール装填部材は、畦シートロール装填部材の棒状体の下端において、棒状体の長さ方向に対して交差する方向に向けて突き出し設けられ、畦シートロールの下端部を支持する畦シートロール支持体を有するので、畦シートロールの下端を支持しながら、畦シートロールを回転させつつ、巻き戻させることができるので、基台に固定された回転棒をハンドルによって回転させ、ロール状にシートを巻くことができる。
請求項５の発明によれば、畦シートロール案内部材は、前方に向けて引き出された畦シートロールの畦溝とは反対側の面と当接し、畦シートロールを後方に向けて案内する、回転自在なロールを有し、該案内ロールは、畦シートロールよりやや上方に向けて引き出された畦シートロールの下部に当接する大きな径に案内ロールと、該畦シートロールの上部に当接する小さな径の案内ロールとを有するので、畦シートを畦溝の底に向かって斜め下に誘導することができるので、シートをその左右端部を揃えながらロール状に回転棒の外周に巻きつけることができる。
請求項６の発明によれば、畦シート押圧部材は、突き出された保持体に、畦シートの幅方向において揺動して、畦シートの畦溝と接する面とは反対側に接するように押圧体が設けられているので、畦シートを畦溝の溝壁に向けて密着させることができるので、シートを回転輪に向けて円滑に送り込む事ができ、シートをロール状に回転棒の外周に巻き取りやすい。
【０００８】
この発明の上述の目的、その他の目的、特徴および利点は、図面を参照して行う以下の発明を実施するための最良の形態の説明から一層明らかとなろう。
【０００９】
また、この明細書の畦シートの敷設装置の説明において、前方とは、耕耘機の進行方向の前側を言い、後方とは、耕耘機の進行方向の後側を言う。
【発明を実施するための最良の形態】
【００１０】
まず、この発明の一実施の形態であるシートの巻き取り器でロール状に巻かれた畦シートを敷設する畦シートの敷設装置について説明する。
図１は、この発明の一実施の形態であるシートの巻き取り器でロール状に巻かれた畦シートの敷設装置の斜視図解図である。
図２は、図１図示畦シート敷設装置を後方側面から見た斜視図解図である。
図３は、図１図示畦シート敷設装置の要部の斜視図解図である。
【００１１】
この畦シート敷設装置１０は、トラクター５００の後方に装着されたロータリー耕耘機５０２に設けられた溝形成器１２の支持部材１４に固定されるものである。
支持部材１４は、ロータリー耕耘機５０２の上部を覆うカバー５０４より突き出し設けられた支持棒１４ａの先端より垂下された支持棒１４ｂを有するもので、支持棒１４ｂの中間にこの発明にかかる畦シート敷設装置１０が着脱自在に固定されている。
【００１２】
溝形成器１２は、ロータリー耕耘機５０２の側部に向けて、その先端が浮くように支持部材１４に着脱自在に取り付けられているが、この溝形成器１２は、左側の土分け板体１２ａと、右側の土分け板体１２ｂとがその先端が鋭角となるように突き合わせられ、その底部に左右の土分け板体１２ａおよび１２ｂを適宜な間隔を置いて固定するための底板体１２ｃが設けられている。
そして、溝形成器１２は、土分け板体１２ａと土分け板体１２ｂとの間に設けられた吊り下げ体１２ｄによって、支持部材１４の支持棒１４ｂの下端に吊り下げ固定されている。
吊り下げ体１２ｄは、土分け板体１２ａと土分け板体１２ｂから突き出し設けられた連結棒体１２ｅと、該連結棒体１２ｅの先端に固定された嵌挿筒体１２ｆとを備え、嵌挿筒体１２ｆの胴部に螺合された螺子棒１２ｇを、支持棒１４ｂの胴部に穿設された固定孔１４ｃに嵌挿して、溝形成器１２を支持部材１４に着脱自在に固定するよう構成されている。
【００１３】
畦シート敷設装置１０は、支持部材１４に固定するための固定部材２０と、前記固定部材２０に設けられた畦シートロール装填部材２２と、固定部材２０に固定される畦シートロール案内部材２４と、畦シートロール案内部材２４より溝形成器１２で形成される畦溝の側面に添設させる畦シート押圧部材２６とを有し、畦シートロール装填部材２２と、畦シートロール案内部材２４と、畦シート押圧部材２６とが、トラクター５００のロータリー耕耘機５０２の進行方向に向かって、溝形成器１２の先端より後方であって覆土器１６より前方において、固定部材２０によってトラクター５００のロータリー耕耘機５０２に着脱自在に取り付けられるように構成されている。
【００１４】
固定部材２０は、畦シートロール装填部材２２の上側を支持部材１４に固定するものと畦シートロール装填部材２２の下側を溝形成器１２に固定するものとからなり、前者の畦シートロール装填部材２２の上側を支持部材１４に固定する固定部材２０は、長さ方向を有する断面Ｌ字型板状の固定本体３０と、該固定本体３０の前部に形成された固定部３２とを有する。
該固定部３２は、支持部材１４の支持棒１４ｂの形状（断面真円形状の円柱形状）に沿う断面真円の円筒状に形成され、該固定部３２を支持部材１４に嵌挿させ、固定部３２の一部に形成された螺子孔３４に螺合された螺子棒３６を、支持棒１４ｂに穿設された固定孔１４ｃに嵌挿して取り付けられるように構成されている。
そして、固定部材２０の固定本体３０は、支持部材１４に固定された溝形成器１２の後方に向けて突き出し設けられるように構成されている。
【００１５】
前記固定部材２０の固定本体３０の後部には、畦シートロール２２を着脱自在に固定するために、枢軸部３０ａが突設され、枢軸部３０ａに畦シートロール装填部材２２が着脱自在に固定されている。
畦シートロール装填部材２２は、中空円柱状で、前記固定部材２０の固定本体３０の後方に形成された枢軸部３０ａに着脱自在に嵌挿され、枢軸部３０ａ側より下方に向けて突き出し設けられたロール回転部４０と、該ロール回転部４０の下端においてロール回転部４０の長さ方向に対して交差する方向に向けて突き出し設けられ、畦シートロール２００Ａの下端部を支持する畦シートロール支持体４２とを有する。
【００１６】
ロール回転部４０は、棒状体でその畦シートロール２００Ａの中心孔に挿入される太さと、畦シートロール２００Ａの幅に対応する長さを有し、全体がロール回転部４０の下端部の方が先端部より後方に傾斜するように固定部材２０の固定本体３０の後方位置から突き出し設けられている。
【００１７】
畦シートロール支持体４２は、前記ロール回転部４０と直交するようにロール回転部４０の下端に固定され、その前端が溝形成器１２側の先端部側に向けて突き出され、その後端は後方に向けて突き出され、その上面において、畦シートロール２００Ａの下端部を保持するように構成されている。
畦シートロール装填部材２２の畦シートロール支持体４２の下部には、その先端から後端に亘って補強体４４が架け渡されている。
畦シートロール支持体４２の前方先端は、この畦シート敷設装置１０を溝形成器１２に固定するための固定部材２０を構成する。この固定部材２０は、畦シートロール支持体４２の先端にボルト・ナット等の固着具４２ｂにて回動自在に固定された平板部４２ａを備え、平板部４２ａに形成された螺子孔に螺合されたボルト・ナット等の固着具４２ｃによって溝形成器１２の底板体１２ｃに螺着された、一方の固定部材２０を構成する。
【００１８】
畦シートロール装填部材２２の畦シートロール支持体４２の前部には、畦シートロール案内部材２４を構成する案内ロール５０が回転自在に設けられている。
畦シートロール案内部材２４は、畦シートロール２００Ａより前方に向けて引き出された畦シート２００の畦溝とは反対側の面と当接し、畦シート２００を後方に向けて案内するものであり、前記案内ロール５０と、その案内ロール５０とは別に、前記案内ロール５０の上方において、畦シート２００の幅よりは略短い距離をおいて固定部材２０に固定された案内ロール５２とを有する。
案内ロール５０は、畦シートロール装填部材２２よりやや上方に向けて引き出された畦シート２００の下部に当接する大きな径のロールであり、案内ロール５２は、畦シート２００の上部に当接する小さな径のロールである。
案内ロール５０が、案内ロール５２よりその径を大きく形成されているのは、畦シートロール２００Ａが畦溝の底部より高い位置に装填されるため、畦シートロール２００Ａから引き出された畦シート２００を畦溝の底に向かって斜め下に誘導する必要性があるためである。すなわち、案内ロール５０および案内ロール５２において、一旦前方に引き出された畦シート２００が折り返し、後方に向けて水平方向に引き出す時に、畦シート２００の下側で緩みが生じるため、その緩みをなくした状態で一旦上方に向けて前方に引き出された畦シート２００を後方の畦溝の底部に向けて水平方向に引き出すことができるようにするためである。
【００１９】
畦シート押圧部材２６は、畦シートロール装填部材２２に装填された畦シートロール２００Ａを前方に引き出し、畦シートロール案内部材２４において方向転換をし、後方に向けて引き出された畦シートロール２００Ａを畦溝側面に向けて添設するものであり、突き出された保持体６０と、保持体６０に畦シート２００の幅方向において揺動して、畦シート２００の畦溝と接する面とは反対側の面にて畦シート２００と接するように、設けられた押圧体６２とを備えている。
【００２０】
保持体６０は、畦シートロール装填部材２２の畦シートロール支持体４２の後端において、下方に向けて突き出し設けられた板状第１保持体６４と、該第１保持体６４より畦溝側に突き出された正面Ｌ字型の第２保持体６６と、第２保持体６６の垂直方向において揺動するように延びる板状第３保持体６８とを備える。押圧体６２は、第３保持体６８に垂直方向に分かれて畦シート２００の流れに沿って回転するように設けられた、上下一対の押圧ローラ７０を備える。
第１保持体６４は、その下端部近傍に円筒状枢軸部７２が固定され、第２保持体６６は、該円筒状枢軸部７２に円柱状枢軸部７４にて回動自在に固定され、第３保持体６８は、第２保持体６６の水平部７６の先端に設けられた円柱状枢軸部７８を、第３保持体６８の中央に設けられた円筒状枢軸部８０に嵌合して、第２保持体６６に回動自在に固定されている。
【００２１】
第３保持体６８の上端と第１保持体６４の上端との間には、弾発部材８２が設けられている。
また、第３保持体６８と補強体４４との間に弾発部材８４が架け渡されている。
弾発部材８２及び弾発部材８４は、畦溝に添設された畦シート２００を畦溝の溝壁に向けて押圧するように、構成されている。
【００２２】
第１保持体６４の上端には、溝形成器１２の延長部９０との間において、畦シートロール装填部材２２を適宜な方向に向けて固定し、畦シート２００を畦溝の最適な位置において添設できるように、その位置決めをするための補強材８６が架け渡されている。
補強材８６は、第１保持体６４の上端に設けられた軸受け８８と溝形成器１２の延長部９０の畦溝側に設けられた軸受け９２との間において軸支されて架け渡されている。
【００２３】
覆土器１６は、トラクター５００のロータリー耕耘機５０２を覆うカバー５０４より延びる支持棒５０６の下端の側端に、上下位置調整可能な位置にて取り付けられた第２支持棒５０８の下端に、回転自在に支持されている。
【００２４】
次に、前記したように構成された畦シート敷設装置１０によって、畦シート２００を敷設する方法について説明する。
トラクター５００を走行しながら、ロータリー耕耘機５０２で圃場の畦際を耕耘し、その畦際をロータリー耕耘機５０２の側部に装着された溝形成器１２によって土をさらい、畦溝の底が水平になるように成形する。
【００２５】
さらに、畦シートロール装填部材２２に装填された畦シートロール２００Ａから畦シート２００を前方に引き出し、畦シートロール案内部材２４において、すなわち、案内ロール５０および案内ロール５２において方向転換し、畦シート押圧部材２６を経て、畦シート２００の先端を畦溝内に挿入し、人為的に固定する。
【００２６】
そして、トラクター５００を走行すると、畦シート２００は、畦シートロール案内部材２４から畦シートロール２００Ａの回転によって、順次前方に向けて繰り出され、やや上方に向けて繰り出された畦シート２００は、畦シートロール案内部材２４を構成する案内ロール５０および案内ロール５２の作用により略水平方向に向けて後方に繰り出され、畦溝近傍に向かう。
そのとき、畦シート押圧部材２６が作用し、畦シート２００は畦溝に添設される。
このようにして送られた畦シート２００は、畦溝の溝底にほぼ達し、その後、覆土器１６によって、溝形成器１２の延長部９０によって畦溝側方に積まれた土を畦溝表面に添設された畦シート２００側に寄せられ、寄せられた土によって畦シート２００を固定する。
【００２７】
次に、この発明の一実施の形態である、長尺帯状の畦シート２００をロール状に巻き重ねるための巻き取り器３００について、図８ないし１４に基づいて説明する。
この巻き取り器３００は、畦シート２００をその外周にロール状に巻き重ねるための回転棒３０２と、回転棒３０２の両端近傍に設けられ、畦シート２００をロール状に巻いたときのシートロールの幅を調整する幅調整体たる一対の幅調整輪３０４及び幅調整輪３０６と、回転棒３０２の一端に延設された回転棒３０２を回転させるためのハンドル３０８と、その上部に設けられた回転軸受け３１０にて前記回転棒３０２を支持する基台３１２とを備える。
【００２８】
回転棒３０２は、畦シート２００の幅よりも長い長さを有する円柱状であり、その長手方向に連続して畦シート２００の端部を挟み込む為の幅狭の挟持穴３１２Ａが設けられ、ハンドル３０８が設けられた端部とは反対側の端部には、幅調整輪３０６を脱着自在に固定するための嵌挿溝３１４が穿設されている。嵌挿溝３１４は、幅調整輪３０６の軸心に設けられた板状嵌挿体３０６ｂを嵌挿されるような幅と奥行きを備えており、嵌挿溝３１４は、幅調整輪３０６の滑り軸３０６ａに嵌挿して幅調整輪３０６に固定される。
【００２９】
また、幅調整輪３０４及び幅調整輪３０６は、その回転軸の軸心の外側に基台３１２の回転軸受け３１０において回転自在に軸支されるための滑り軸３０４ａおよび滑り軸３０６ａが、それぞれ設けられている。
滑り軸３０４ａは、幅調整輪３０４が回転棒３０２に固定されたときの回転棒３０２より外側において形成され、滑り軸３０６ａは、幅調整輪３０６が回転棒３０２も固定されたときの回転棒３０２より外側において形成され、その外形は円板状である。この実施の形態においては、ハンドル３０８は、滑り軸３０４ａの外側に形成され、板状嵌挿体３０６ｂは、滑り軸３０６ａの中空部内に形成されている。
【００３０】
基台３１２の上端に設けられた回転軸受け３１０は、前記幅調整輪３０４の滑り軸３０４ａ及び幅調整輪３０６の滑り軸３０６ａの外形（すなわち、円柱状）に対応した略Ｕ字型に形成され、その内側面に載置された滑り軸３０４ａおよび滑り軸３０６ａを回転自在に支持している。
【００３１】
基台３１２は、回転棒３０２よりわずかに長い間隔をおいて設けられた、回転棒３０２の両端を支持するための略Ｕ字型脚部３１６及び脚部３１８と、左右一対の該脚部３１６と脚部３１８との間でその前後において架け渡された保持部３２０とを有する。
【００３２】
保持部３２０は、脚部３１６及び脚部３１８の高さ方向の中央部であって幅調整輪３０４及び幅調整輪３０６の下端より更に下方において架け渡された保持棒３２２と、脚部３１６及び脚部３１８の下部近傍において幅方向に架け渡された保持棒３２４と、二股状脚部３１６の両端において架け渡された保持棒３２６と、二股状脚部３１８の両端において架け渡された保持棒３２８とからなる。
脚部３１６と脚部３１８に架け渡された一対の保持棒３２４の間には、更に前記保持棒３２６の上で平行に保持棒３３０が架け渡され、且つ前記保持棒３２８の上で平行に保持棒３３２が掛け渡されている。
【００３３】
保持棒３２２の前方には、回転軸受け３１０より下部において、平面視コ字型の巻き重ねられる畦シート２００の方向を整えるための方向付け体３３４が突設されている。方向付け体３３４は、保持棒３２２及び回転棒３０２と平行な直線状部３３６に中空円筒状の回転筒３３８が回転自在に嵌挿され、直線状体３３６の両端には畦シート２００の幅調整のための幅調整固定部３４０及び幅調整固定部３４２が突設され、幅調整固定部３４０及び幅調整固定部３４２が一対の幅調整輪３０４と幅調整輪３０６との間において保持棒３２２に固定されている。そして、回転筒３３８と保持棒３２２との間に嵌挿された畦シート２００が、幅調整固定部３４０と幅調整固定部３４２との間において、円滑に回転棒３０２に向けて進み、畦シート２００の両端が揃った状態で回転棒３０２の周囲に巻き重ねられるように形成されている。
【００３４】
脚部３１６及び脚部３１８の下端は、土の中に差し込むことができるようにするために、その先端は、やや先鋭に形成されている。
【００３５】
この巻き取り器３００の使用方法について次に説明する。
まず、保持棒３２２と方向付け体３３４の回転筒３３８との間に畦シート２００を嵌挿して回転棒３０２の挟持穴３１２Ａに畦シート２００の先端を挿入し、幅調整輪３０４と幅調整輪３０６との間において、畦シート２００の先端部を挿入し、回転棒３０２の長手方向と交差する方向に延ばされた畦シート２００を、ハンドル３０８を回転することにより、回転棒３０２の周囲に巻き重ねる。
しかるべき大きさのロール状になった畦シートロール２００Ａは、着脱自在の幅調整輪３０６を回転棒３０２の嵌挿溝３１４から外し、回転棒３０２から抜取ることにより、前記した畦シート敷設装置１０にロール状の状態にて用いることができる。
【００３６】
回転棒３０２の挟持穴３１２Ａは、幅調整輪３０４の内側端より回転棒３０２の一端（着脱自在の幅調整輪３０６が固定された端部）に向けて連続して形成され、ロール状に巻かれた畦シート２００を回転棒３０２の長手方向に滑らせて、挟持穴３１２Ａに差し込まれた畦シート２００の先端部は、挟持穴３１２Ａに沿って抜取ることができるように構成されている。
【図面の簡単な説明】
【００３７】
【図１】この発明の一実施の形態であるシートの巻き取り器でロール状に巻かれた畦            シートの敷設装置の斜視図解図である。
【図２】図１図示畦シート敷設装置を後方側面から見た斜視図解図である。
【図３】図１図示畦シート敷設装置の要部の斜視図解図である。
【図４】図１図示畦シート敷設装置の固定部材の斜視図解図である。
【図５】図１図示畦シート敷設装置の利用方法を示す斜視図解図である。
【図６】図１図示畦シート敷設装置の利用方法を示す斜視図解図である。
【図７】図１図示畦シート敷設装置の利用方法を示す斜視図解図である。
【図８】巻き取り器の斜視図解図である。
【図９】図８図示巻き取り器の背面から視た斜視図解図である。
【図１０】巻き取り器の基台の斜視図解図である。
【図１１】回転棒および一方の幅調整輪の斜視図解図である。
【図１２】他方の幅調整輪の側面図解図である。
【図１３】他方の幅調整輪の内側より視た斜視図解図である。
【図１４】他方の幅調整輪の外側より視た斜視図解図である。
【符号の説明】
【００３８】
２００  畦シート
２００Ａ  畦シートロール
３００  巻き取り器
３０２  回転棒
３０４，３０６  幅調整輪
３０４ａ，３０６ａ  滑り軸
３０６ｂ  板状嵌挿体
３０８  ハンドル
３１０  回転軸受け
３１２  基台
３１２Ａ  挟持穴
３１４  嵌挿溝
３１６，３１８  脚部
３２０  保持部
３２２，３２４，３２６，３２８，３３０,３３２  保持棒
３３４  方向付け体
３３６  直線状体
３３８  回転筒
３４０,３４２  幅調整固定部
１０  畦シート敷設装置
１２  溝形成器
１２ａ，１２ｂ  土分け板体
１２ｃ  底板体
１２ｄ  吊り下げ体
１２ｅ  連結棒体
１２ｆ  嵌挿筒体
１２ｇ  螺子棒
１４  支持部材
１４ａ，１４ｂ  支持棒
１４ｃ  固定孔
１６  覆土器
２０  固定部材
２２  畦シートロール装填部材
２４  畦シートロール案内部材
２６  畦シート押圧部材
３０  固定本体
３０ａ  枢軸部
３２  固定部
３４  螺子孔
３６  螺子棒
４０  ロール回転部
４２  畦シートロール支持体
４２ａ  平板部
４２ｂ,４２ｃ  ボルト・ナット等の固着具
４４  補強体
５０，５２  案内ロール
６０  保持体
６２  押圧体
６４  第１保持体
６６  第２保持体
６８  第３保持体
７０  押圧ローラ
７２，７４，７８，８０  枢軸部
７６  水平部
８２，８４  弾発部材
８６  補強材
８８  軸受け
９０  延長部
９２  軸受け
【図１】
2006096524.tif 000003
【図２】
2006096524.tif 000004
【図３】
2006096524.tif 000005
【図４】
2006096524.tif 000006
【図５】
2006096524.tif 000007
【図６】
2006096524.tif 000008
【図７】
2006096524.tif 000009
【図８】
2006096524.tif 000010
【図９】
2006096524.tif 000011
【図１０】
2006096524.tif 000012
【図１１】
2006096524.tif 000013
【図１２】
2006096524.tif 000014
【図１３】
2006096524.tif 000015
【図１４】
2006096524.tif 000016